(57)【要約】      （修正有）【課題】階段昇降時に、ひざや足への体重負担を軽減するために弾力効果を付与した、階段にの各段に取付ける階段昇降補助具を提供する。【解決手段】Ｌ字状のスプリング固定台座１０の基部に、スプリング（ピアノ線）６の一端を取付けたあと、スプリング（ピアノ線）６の他端側をスプリングスライド棒７のスライド用穴（スプリング挿入孔）にスライド可能に挿入し、スプリングスライド棒７に、踏み板取付けネジ９を介して、前部踏み板を取付けた。前部踏み板装着板１４は軸支丸捧の自在部１を介して固定踏み板取付板１１の自在部挿入孔に挿入する。【選択図】図１
0003199989.tif 000002
【実用新案登録請求の範囲】
【請求項１】
階段の各段に取付ける階段昇降補助具であって、前記階段の各段板床面に上下方向に弾性発現可能な弾力性のあるバネ部材を取付けた台座を介して踏み板を装着した階段昇降補助具において、前記階段昇降補助具の踏み板を前部と後部に分割し、前記踏み板の前部は、バネ部材の一端を台座に固着し、バネ部材の他端側を踏み板にスライド棒をスライド可能に装着し、前記踏み板の後部は、後部踏み板装着板の上面部に水平部分を形成し、前記台座を介して固定踏み板取付板に固着したことを特徴とする階段昇降補助具。
【請求項２】
上記踏み板の前部は、上記台座に立設の上記固定踏み板取付板に挿入した軸支丸棒を介して回動自在に取付けたことを特徴とする請求項１に記載の階段昇降補助具。
【考案の詳細な説明】
【技術分野】
【０００１】  本考案は、階段昇降時に、ひざや足への体重負担を軽減するために、スプリング（ピアノ線等）を利用して、弾力効果を付与した階段に使用する改良踏み板に関するものである。
【背景技術】
【０００２】  ある程度の個人差はあるが、誰でも年を重ねる度に、ひざや足が弱り、歩行や階段の昇降が困難で、苦痛となっている。そのため、従来は、コイルスプリングを用いた階段昇降具が市販されているが、独立懸架機構が採用されているために、安定性が乏しくほとんど使用されていない。
【先行技術文献】
【特許文献１】  実用新案登録第３１６６１６４号公報
【特許文献２】  実用新案登録第３１８８１２４号公報
【考案の開示】
【考案が解決しようとする課題】
【０００３】  本考案者は、従来の階段昇降補助具の欠点や課題を鋭意研究した結果、ひざや足への負担軽減を可能にする階段昇降補助具を提供することができた。そこで、試作製品を試乗用階段に搭載し、試乗体験をしてもらい試乗者にアンケートをお願いしたところ、階段に取付けた踏み板が傾斜しているため、若干、怖い感じがするとの意見があり、先に本考案者がその不具合を解消する改良踏み板を考案したが、更に、その不具合を解消する改良踏み板を考案した。
【課題を解決するための手段】
【０００４】本考案は、階段の各段に取付ける階段昇降補助具であって、前記階段の各段板床面に上下方向に弾性発現可能な弾力性のあるバネ部材を取付けた台座を介して踏み板を装着した階段昇降補助具において、前記階段昇降補助具の踏み板を前部と後部に分割し、前記踏み板の前部は、バネ部材の一端を台座に固着し、バネ部材の他端側を踏み板にスライド棒をスライド可能に装着し、前記踏み板の後部は、後部踏み板装着板の上面部に水平部分を形成し、前記台座を介して固定踏み板取付板に固着したことを特徴とし、踏み板の前部は、上記台座に立設の上記固定踏み板取付板に挿入した軸支丸棒を介して回動自在に取付けたことを特徴とする階段昇降補助具である。【０００５】
【考案の効果】
【０００６】  以上のように、本考案に係る階段昇降補助具の後部踏み板は後部踏み板装着板の上面部に水平部分を形成したことにより、通常の階段同等の安定性を確実に保持可能になった。【０００７】
【図面の簡単な説明】
【０００８】
【図１】本考案に係る階段昇降補助具の基本要部を示す斜視図
【図２】本考案に係る階段昇降補助具の主要部材を示す斜視図
【図３】本考案に係る階段昇降補助具の踏み板を前部と後部に分割し、スプリング・スライド棒等に取付た状況を示す斜視図
【図４】階段昇降補助具の踏み板を台座に装着した実施例を示す斜視図
【図５】本考案に係る階段昇降補助具の踏み板を踏み込む前の状況を示す側面図
【図６】図５に図示の階段昇降補助具の踏み板を踏み込んだ状況を示す側面図である。
【考案を実施するための形態】
【０００９】  本考案に係る階段昇降補助具の具体例を図１から図６を参照して以下説明する。
【実施例】
【００１０】本実施例では、図１に図示する如くＬ字状のスプリング固定台座１０の基部に、スプリング（ピアノ線）６の一端を取付けたあと、図１に図示する如くスプリング（ピアノ線）６の他端側をスプリングスライド棒７のスライド用穴（スプリング挿入孔）８にスライド可能に挿入し、スプリングスライド棒７に、踏み板取付けネジ９を介して、前部踏み板５を取付けた。図２は、前部踏み板装着板１４を軸支丸捧３の自在部１を介して固定踏み板取付板１１の自在部挿入孔１６に挿入する様子を図示している。【００１１】図３は、階段昇降補助具の踏み板を、前部踏み板５と後部水平踏み板４に分割し、スプリング６スライド棒７に取付た状況を示す。図４は、階段昇降補助具の前部踏み板５をスプリング固定台座１０に装着した様子を示している。図５は本考案に係る階段昇降補助具の前部踏み板５を人が踏込み時の足１３の踏み込む前の様子を示し、図６は階段昇降補助具の前部踏み板５を人が踏込み時の足１３の踏み込んだ状況を示している。図１中の符号２は後部踏み板装着板を、符号１２は段板取付板を図示している。図６中の符号１５は、滑り止めを図示している。
【符号の説明】
【００１２】  １  自在部
２  後部踏み板装着板
３  軸支丸捧
４  後部水平踏み板
５  前部踏み板
６  スプリング（ピアノ線）
７  スプリングスライド棒
８  スライド用穴
９  踏み板取付けネジ
１０  スプリング固定台座
１１  固定踏み板取付板
１２  段板取付板
１３  人の踏込み時の足
１４  前部踏み板装着板
１５  滑り止め
１６  自在部挿入孔
【図１】
0003199989.tif 000003
【図２】
0003199989.tif 000004
【図３】
0003199989.tif 000005
【図４】
0003199989.tif 000006
【図５】
0003199989.tif 000007
【図６】
0003199989.tif 000008
【手続補正書】
【提出日】平成27年6月26日(2015.6.26)
【手続補正１】
【補正対象書類名】実用新案登録請求の範囲
【補正対象項目名】全文
【補正方法】変更
【補正の内容】
【実用新案登録請求の範囲】
【請求項１】
階段の各段に取付ける階段昇降補助具であって、
前記階段の各段板床面上に配置される台座（１０）と、
一端が前記台座（１０）に固着され、上下方向に弾性発現可能な弾力性のあるバネ部材（６）と、
前記バネ部材（６）の他端側にスライド可能に装着されたスライド棒（７）と、
前記スライド棒（７）に取付けられた前部踏み板（５）と、
前記台座（１０）に立設された固定踏み板取付板（１１）と、
前記固定踏み板取付板（１１）上に配置され、上面部に水平部分が形成された後部踏み板装着板（２）と、
前記後部踏み板装着板（２）の前記水平部分上に配置された後部踏み板（４）とを有することを特徴とする階段昇降補助具。
【請求項２】
前記固定踏み板取付板（１１）に支持された軸支丸棒（３）を更に有し、
前記前部踏み板（５）は前記軸支丸棒（３）を介して回動自在に取付けたことを特徴とする請求項１に記載の階段昇降補助具。